(57)【要約】【課題】  タイヤローラの後進時に、タイヤローラの車体後部や後輪に、人や障害物が衝突する前に検出し、人や障害物が衝突により受ける被害を未然に防止できるタイヤローラの安全防護装置とする。【解決手段】  タイヤローラ本体１の車体後部２に、後方へ延出した支持部材３を設ける。支持部材３にタイヤローラ本体１の後方に防護ネット３２を張設したネット取り付け部材１６をタイヤローラ本体１の前後方向に回動可能に軸支する。ネット取り付け部材１６の回動を検出し、車輪の駆動停止及びパーキングブレーキの作動を行い、タイヤローラ本体１の後進を停止させるリミットスイッチ２０を設ける。リミットスイッチ２０がネット取り付け部材１６の回動を検出した時に作動する回転灯及びブザー４２を設ける。防護ネット３２を上部がタイヤローラ本体１側へ傾斜して設ける。【選択図】  図２
2005048550.tif 000002
【特許請求の範囲】
【請求項１】
タイヤローラ本体の車体後部に、後方へ延出した支持部材が設けられると共に、この支持部材にタイヤローラ本体の後方に防護ネットを張設したネット取り付け部材がタイヤローラ本体の前後方向に回動可能に設けられ、このネット取り付け部材の回動を検出し、車輪の駆動停止及びパーキングブレーキの作動を行い、タイヤローラ本体の後進を停止させる検出手段が設けられていることを特徴とするタイヤローラの安全防護装置。
【請求項２】
検出手段がネット取り付け部材の回動を検出した時に作動する警報音発生手段が設けられていることを特徴とする請求項１記載のタイヤローラの安全防護装置。
【請求項３】
検出手段がネット取り付け部材の回動を検出した時に作動する点灯手段が設けられられていることを特徴とする請求項１又は２記載のタイヤローラの安全防護装置。
【請求項４】
検出手段がリミットスイッチであることを特徴とする請求項１から３のいずれかに記載のタイヤローラの安全防護装置。
【請求項５】
防護ネットは上部がタイヤローラ本体側へ傾斜していることを特徴とする請求項１から４のいずれかに記載のタイヤローラの安全防護装置。
【発明の詳細な説明】
【技術分野】
【０００１】
本発明は、アスファルト等の舗装面を車輪をなすタイヤで転圧して舗装面の仕上げを行うタイヤローラに関し、詳しくは、タイヤローラの後進時にタイヤローラの車体や後輪が人や障害物に接触する前に検出し、人や障害物が衝突により受ける被害を未然に防止するための安全防護装置に関するものである。
【背景技術】
【０００２】
タイヤローラは、アスファルト等の舗装面を車輪をなすタイヤで転圧するため、通常は前輪が三本、後輪が四本装着されている。そして、運転席からは後方視界、特に後輪近くの後方は死角となり、確認は不可能である。
【０００３】
又、タイヤローラは構造上、車体の後端部と後輪の後面が殆ど同位置か、後輪の方が車体の後端部より後方へやや突出している。
したがって、後輪の後方に人がいたり、障害物がおかれていると、過って後輪に直接衝突してしまう恐れがある。
そして、後輪は車体の横幅全長に渉って配設されているため、人や障害物の衝突により受ける被害の程度も甚大となる問題点を有している。
【０００４】
しかし、従来この点に関して対策は全く講じられていなく、自動車に関して交通被害者の被害の程度を最少限度に防止するため、自動車の前方に掬い網を設けたものが提案されている。
【特許文献１】実開平６−１３９６１号
【発明の開示】
【発明が解決しようとする課題】
【０００５】
上記点より本発明は、タイヤローラの後進時に、タイヤローラの車体後部や後輪に人や障害物が衝突する前に検出し、人や障害物が衝突により受ける被害を未然に防止することを可能としたタイヤローラの安全防護装置を提供しようとするものである。
【課題を解決するための手段】
【０００６】
上記課題を解決するため請求項１記載の本発明タイヤローラの安全防護装置は、タイヤローラ本体の車体後部に、後方へ延出した支持部材が設けられると共に、この支持部材にタイヤローラ本体の後方に防護ネットを張設したネット取り付け部材がタイヤローラ本体の前後方向に回動可能に設けられ、このネット取り付け部材の回動を検出し、車輪の駆動停止及びパーキングブレーキの作動を行い、タイヤローラ本体の後進を停止させる検出手段が設けられていることを特徴とするものである。
【０００７】
このような構成とすることにより、タイヤローラ本体の後方に張設した防護ネットが人や障害物に当たると、ネット取り付け部材が回動するが、このネット取り付け部材の回動を検出手段が検出し、これにより車輪の駆動停止及びパーキングブレーキが作動してタイヤローラ本体を停止するため、人や障害物はタイヤローラ本体の車体後部や後輪に衝突し被害を受けることが未然に防止される。
【０００８】
次に、請求項２記載の本発明タイヤローラの安全防護装置は、請求項１記載のタイヤローラの安全防護装置において、検出手段がネット取り付け部材の回動を検出した時に作動する警報音発生手段が設けられていることを特徴とするものである。
【０００９】
このような構成とすることにより、検出手段がネット取り付け部材の回動を検出した時に、警報音発生手段により警報音を発するので、運転者及び周囲の人々に注意を喚起できる。
【００１０】
次に、請求項３記載の本発明タイヤローラの安全防護装置は、請求項１又は２記載のタイヤローラの安全防護装置において、検出手段がネット取り付け部材の回動を検出した時に作動する点灯手段が設けられられていることを特徴とするものである。
【００１１】
このような構成とすることにより、検出手段がネット取り付け部材の回動を検出した時に、点灯手段により点灯するので、運転者及び周囲の人々に注意を喚起できる。
【００１２】
次に、請求項４記載の本発明タイヤローラの安全防護装置は、請求項１から３のいずれかに記載のタイヤローラの安全防護装置において、検出手段がリミットスイッチであることを特徴とするものである。
【００１３】
このような構成とすることにより、確実な検出が行われる。
【００１４】
次に、請求項５記載の本発明タイヤローラの安全防護装置は、請求項１から４のいずれかに記載のタイヤローラの安全防護装置において、防護ネットは上部がタイヤローラ本体側へ傾斜していることを特徴とするものである。
【００１５】
このような構成とすることにより、防護ネットが人や障害物に当たって、人や障害物がタイヤローラ本体側へ倒れても、防護ネットにより保持されるので、被害を未然に防止できる。
【発明の効果】
【００１６】
本発明のタイヤローラの安全防護装置によれば、防護ネットが人や障害物に当たった時のネット取り付け部材の回動を検出手段で検出し、車輪の駆動停止及びパーキングブレーキの作動を行い、タイヤローラ本体の後進を停止するため、人や障害物が車体後部や後輪に衝突して被害を受けることが未然に防止できる。
【００１７】
又、検出手段がネット取り付け部材の回動を検出して、タイヤローラ本体の後進を停止すると同時に、警報音を発するか又は点灯するか、或いは警報音と共に点灯するので、運転者や周囲の人々の注意を喚起し、迅速に転倒者の救助や障害物の除去等の対処が可能である。
【００１８】
又、防護ネットの上部がタイヤローラ本体側へ傾斜しているため、防護ネットの下方が最後部となり、防護ネットの下方が人や障害物に当たって人や障害物が掬われ、タイヤローラ本体側へ倒れても防護ネットにより保持されるので、怪我や破損等の被害を受けることが未然に防止される。
【発明を実施するための最良の形態】
【００１９】
以下、本発明の一実施の形態を図面に基づき説明する。
図１は、本発明タイヤローラの安全防護装置の一実施の形態を示す側面図、図２は同上の後方斜視図、図３は同上の作用を示す部分断面図、図４はネット取り付け部材の他の実施の形態を示す断面図、図５は本発明装置の電気系統の回路図である。
【００２０】
図中１はタイヤローラ本体であり、タイヤローラ本体１の車体後部２に後方へ延出した支持部材３が設けられている。
この支持部材３は車体後部２に設けた取り付けブラケット４にボルト及びナット等の止着部材５で基部側を固定され、後方へ延出する断面がコ字形の平行な左右の支持腕６と、この両側の支持腕６の先端部と一体に溶着された断面がコ字形の水平横材７及び水平横材７の両端部に基部側を溶着され、先端部側が後方へ延出した断面がコ字形の平行な左右の水平縦材８から構成されている。水平横材７の長さは車体後部２の幅と略同一長さとなっている。
【００２１】
又、水平横材７と水平縦材８間に斜めに補強パイプ９が固着されると共に、水平縦材８と車体後部２間に一方の端部側をターンバックル１０に螺合連結し、他端が一方は車体後部２側に枢着１１され、他方は水平縦材８側に枢着１２された補強用支持杆１３が設けられている。
又、両側の水平縦材８の先端部にゴム等の緩衝材１４が当着されている。又両側の水平縦材８の先端部上面に軸受１５が設けられている。
【００２２】
１６は、支持部材３の後方にタイヤローラ本体１の前後方向に回動可能に設けたネット取り付け部材である。
このネット取り付け部材１６は水平縦材８の先端部内側に配設された縦管１７と、この縦管１７に装着されたネット取り付け枠１８から成り、縦管１７は側部に水平軸１９が突設され、この水平軸１９が軸受１５に軸支され、縦管１７はタイヤローラ本体１の前後方向に回動可能となっている。
【００２３】
そして、両側の水平縦材８の何れか一方の水平縦材８の縦管１７より先端寄りで、内側下部に車体後部２側に向けて検出手段であるリミットスイッチ２０が設けられ、このリミットスイッチ２０に接触するＬ形の当たり片２１が、リミットスイッチ２０の前方で縦管１７の下方の側部に固着されている。
【００２４】
又、縦管１７の上部と水平縦材８の基端部間にコイルスプリング２２が張設され、縦管１７の上部が車体後部２側に常時傾斜するよう付勢されている。
これにより、縦管１７の下方の当たり片２１は常時リミットスイッチ２０に接触している。
【００２５】
次に、ネット取り付け枠１８は両側の縦棒２３と上部横棒２４ａ及び下部横棒２４ｂにより略方形に形成され、縦棒２３の上部はタイヤローラ本体１側に略９０°屈曲し、水平部２５が形成されている。
【００２６】
両側の縦棒２３は縦管１７内に挿通されると共に、縦棒２３の上方部に鍔状のストッパー２６が設けられている。
又、縦棒２３に複数個のピン挿通孔２３ａが一定の間隔をおいて穿設されると共に、縦管１７の上部に一個のピン挿通孔１７ａが穿設され、縦棒２３の何れかのピン挿通孔２３ａを縦管１７のピン挿通孔１７ａに合致させ、縦管１７の側方よりピン２７で係止することにより、ネット取り付け枠１８は高さ調節可能となっている。
【００２７】
２８は、ネット取り付け枠１８の縦棒２３の上方の屈曲部及び下端部に後方へ向けて水平に突設した取り付け棒であり、この取り付け棒２８は屈曲部側の取り付け棒２８ａが下端部側の取り付け棒２８ｂよりも短く形成されている。又、各取り付け棒２８の先端部にリング２９が夫々付設されている。
【００２８】
そして、各リング２９内を一本のワイヤー３０が挿通され、このワイヤー３０はワイヤー３０の両端部間に設けたスプリング３１により緊張した状態で方形に設けられ、この方形に張設されたワイヤー３０に防護ネット３２が張設されている。
この防護ネット３２は、縦棒２３の屈曲部側の取り付け防護ネット２８ａが下端部側の取り付け防護ネット２８ｂよりも短く形成されているため、上方がタイヤローラ本体１側に傾斜した状態で張設され、タイヤローラ本体１の横幅を全長に亘って覆う。
【００２９】
又、防護ネット３２は上部はタイヤローラ本体１側に屈曲してネット取り付け枠１８の上部横棒２４ａに止着され、下部は同じくタイヤローラ本体１側に屈曲してネット取り付け枠１８の下部横棒２４ｂに止着されている。
又、防護ネット３２の側部は、両側のワイヤー３０、取り付け棒２８ａ、２８ｂ、縦棒２３の水平部２５に夫々止着されている。
【００３０】
次に、図４に示すネット取り付け枠１８は、縦棒２３の取り付け防護ネット２８の先端に方形の棒体３３を固着すると共に、両側の縦棒２３間の下方に補助棒３４を渡設し、人が防護ネット３２側に掬われて倒れた時に、座るような格好で保持されるように構成したものである。
尚、運転席側に回転灯３５等の点灯手段、及びブザー（図示せず）等の警報音発生手段が設けられている。
【００３１】
次に、本発明装置の作用を図面に基づき説明する。
タイヤローラ本体１が後進時に、人や障害物に防護ネット３０の最後部である防護ネット３０の下部側が衝突すると、ネット取り付け枠１８の下部側がタイヤローラ本体１側に回動するので、ネット取り付け枠１８の縦棒２３の当たり片２１がリミットスイッチ２０から離れる（図３）。
【００３２】
リミットスイッチ２０が離れると、図５の回路図の鎖線に示すようにリミットスイッチ２０が通電し、走行用リレー４０の後進側の走行ソレノイドバルブ４１に通電が断たれ、後輪３６の駆動が停止すると同時に、回転灯及びブザー４２に通電し、回転灯が点灯しブザーが鳴る。
尚、回転灯及びブザー４２は、回転灯又はブザーの何れか一方のみ設置することもできる。
【００３３】
又、後輪３６の駆動停止と同時に、ブレーキ用リレー４３のパーキングソレノイドバルブ４４に通電が断たれ、パーキングブレーキ４５が作動する。
そして、タイヤローラ本体１が停止し、衝突した人や障害物を除けば、ネット取り付け枠１８はコイルスプリング２２の付勢力により元の位置に回動し、当たり片２１がリミットスイッチ２０に再び接触して通常の状態に戻る。
【００３４】
又、防護ネット３０が人や障害物に衝突した状態でタイヤローラ本体１を離す時は、解除スイッチ４６を鎖線に示すように作動させれば、リミットスイッチ２０からの通電は断たれ、通常の状態に戻るからタイヤローラ本体１を前進させることができる。
しかし、この状態はリミットスイッチ２０が作動しても通電が断たれているので、解除スイッチ４６を元の状態に戻す必要がある。
そこで、確認するため解除スイッチ４６が作動すると、解除ブザー４７が鳴り、この解除ブザー４７の押釦４７ａを押せば解除ブザー４７が止まり、解除スイッチ４６の可動接点を元に戻し、リミットスイッチ２０が作動した時に通電するようにセットされる。
【００３５】
以上、本発明を実施の形態に基づき具体的に説明したが、本発明は上記実施形態に限定されるものではない。
【図面の簡単な説明】
【００３６】
【図１】本発明装置の一実施の形態を示す側面図である。
【図２】本発明装置の一実施の形態を示す後方斜視図である。
【図３】本発明装置の作用を示す部分断面図である。
【図４】本発明装置のネット取り付け部材の他の実施の形態を示す断面図である。
【図５】本発明装置の電気系統の回路図である。
【符号の説明】
【００３７】
１  タイヤローラ本体
２  車体後部
３  支持部材
６  支持腕
７  水平横材
８  水平縦材
１５  軸受
１６  ネット取り付け部材
１７  縦管
１８  ネット取り付け枠
１９  水平軸
２０  リミットスイッチ
２１  当たり片
２２  コイルスプリング
２３  縦棒
２４  横棒
３２  防護ネット
３５  回転灯
４０  走行用リレー
４１  走行用ソレノイドバルブ
４２  回転灯及びブザー
４３  ブレーキ用リレー
４４  パーキングブレーキソレノイドバルブ
４５  パーキングブレーキ
４６  解除スイッチ
４７  解除ブザー
４７ａ  押釦
【図１】
2005048550.tif 000003
【図２】
2005048550.tif 000004
【図３】
2005048550.tif 000005
【図４】
2005048550.tif 000006
【図５】
2005048550.tif 000007